(57)【要約】      （修正有）【課題】傘カバー脱げ防止構造を提供する。【解決手段】傘カバー２の側面が加工されて高さの位置が異なる若干の垂直カット線２１〜２４が切り入れられる。雨天時には、傘を傘カバーに入れた後に、傘のバンドを最適な位置にあるカット線に傘カバーの内側から傘カバーの外に出るまで貫通させ、且つバンドを傘に１巻き卷回させた後、粘着により緊締する。傘カバーが傘に固定され、脱げ防止効果が達成される。【選択図】図２
0003209849.tif 000002
【実用新案登録請求の範囲】
【請求項１】
傘カバーに設置されるカット線ユニットからなり、
前記カット線ユニットは若干のカット線を含み、縦方向に配列され、且つ異なる高さにそれぞれ位置し、傘のバンドが何れか１つのカット線を貫通させると共に傘を１巻き卷回させた後にバンドが緊締され、傘カバーが脱げる事態が防止されることを特徴とする、
傘カバー脱げ防止構造。
【請求項２】
前記カット線ユニットのこれら前記カット線は切れ目が入れられ、前記バンドの位置に合わせられ、前記バンドにより貫通されることを特徴とする、請求項１に記載の傘カバー脱げ防止構造。
【考案の詳細な説明】
【技術分野】
【０００１】
本考案は、傘カバーの改良に関し、より詳しくは、傘のバンドにより傘カバーが傘に固定されて脱げなくなり、使用者が普段通りに楽に傘の手元を持てるようになる傘カバー脱げ防止構造に関する。
【背景技術】
【０００２】
従来の傘カバーは上方に透明な開口が設けられる長形状のプラスチックカバーであり（図１参照）、効果的に集水できる。
【考案の概要】
【考案が解決しようとする課題】
【０００３】
しかしながら、前述した従来の技術では、傘に緊結することができず、傘カバーが脱げて地面が濡れて汚れる現象がよく見られた。或いは、傘及び傘カバーを脱げないようにしっかりと握りしめるために、使用者が力を入れて傘の中棒を握るため、持ち歩くのが不便になり、手を痛め、更には、強く握り過ぎて傘カバーが傘の石突に破られて、雨水が漏れることもあった。
【０００４】
最近では、傘カバーに吊り孔が開設され、傘カバー内に蓄積された雨水の重量により、傘カバーが露先に吊り掛けられる設計となっている。ただし、傘カバーに集水された水の重量が不足したり、露先の深さが不十分である場合、傘カバーが脱げてしまうことがある。
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、傘カバー脱げ防止構造を提供することを主目的とする。
【課題を解決するための手段】
【０００６】
上述した課題を解決し、目的を達成するための本考案に係る傘カバー脱げ防止構造は、傘カバーに設置されるカット線ユニットからなり、前記カット線ユニットは若干のカット線を含み、縦方向に配列され、且つ異なる高さにそれぞれ位置され、傘のバンドが何れか１つのカット線を貫通させると共に傘を１巻き卷回させた後にバンドが緊締され、傘カバーが脱げる事態が防止されることを特徴とする。
【考案の効果】
【０００７】
本考案によれば、現在の透明なプラスチックの傘カバーが傘に堅固に緊結できないため、傘カバーが脱げて内部に溜まった水が流出し、地面が濡れて汚れてしまう問題を解決できる。
【図面の簡単な説明】
【０００８】
【図１】従来の傘カバーを示す図である。
【図２】本考案の一実施形態に係る傘カバー脱げ防止構造を示す概略図である。
【図３】傘を本考案の傘カバー脱げ防止構造に入れる概略図である。
【図４】バンドがカット線を通って傘の外側から露出した概略図である。
【図５】本考案の傘カバー脱げ防止構造が傘に結び付けられる概略図である。
【図６】本考案の他の実施形態に係る傘カバー脱げ防止構造を示す概略図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１０】
本考案に係る傘カバー脱げ防止構造２は、側方が加工されて、高さの位置が異なる長さ約３センチメートルの若干の垂直カット線２１、２２、２３、２４が切り入れられる（図２参照）。
傘カバーの開口部に最も近接されるカット線２１は第一位置と定義され、これは一般的に市販される男性用の傘の長さに適合される。第二位置のカット線２２は一般的に市販される女性用の傘の長さに適合され、第三位置のカット線２３の位置は一般的なコンビニエンスストアで販売される簡易な傘の長さに適合される。最下方の第四位置のカット線２４は一般的に市販される児童用の傘の長さに適合される。
【００１１】
雨天時には、傘３を傘カバー２に収納した後（図３参照）、最も近く、且つバンドの位置よりもやや高いカット線２１〜２４を選び、バンド３１を選択されたカット線から傘カバー２の外側まで貫通させ、且つバンド３１を傘カバー２の外まで完全に引っ張り出す（図４参照）。
次に、バンド３１を傘３に１巻き卷回させた後、面ファスナーにより粘着させるかボタンによりきつく留めることで、傘３の固定機能を達成させる（図５参照）。この際、傘カバー２はカット線ユニット２０及びバンド３１が緊締されて固定されることにより、脱げることがなくなる。
【００１２】
また、図６に示すカット線ユニット２０の他の具体的な実施例においては、これら前記カット線が相互に隣接され、且つ開口状ではなく、切れ目が入れられて、バンド３１がカット線ユニット２０を貫通させた後に傘３に結び付けられ、同様に傘カバー２の脱げ防止の目的を達成させる。
【００１３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。
従って、本考案の精神を逸脱せずに行う各種の同様の効果をもつ改良又は変更は、実用新案登録請求の範囲に含まれるものとする。
【符号の説明】
【００１４】
１  従来の透明傘カバー
２  傘カバー脱げ防止構造
２０  カット線ユニット
２１〜２４  カット線
３  傘
３１  バンド
【図１】
0003209849.tif 000003
【図２】
0003209849.tif 000004
【図３】
0003209849.tif 000005
【図４】
0003209849.tif 000006
【図５】
0003209849.tif 000007
【図６】
0003209849.tif 000008
【手続補正書】
【提出日】平成29年2月8日(2017.2.8)
【手続補正１】
【補正対象書類名】実用新案登録請求の範囲
【補正対象項目名】全文
【補正方法】変更
【補正の内容】
【実用新案登録請求の範囲】
【請求項１】
カット線ユニットを備え、
前記カット線ユニットは若干のカット線を含み、縦方向に配列され、且つ異なる高さにそれぞれ位置し、
傘のバンドが何れか１つのカット線を貫通させると共に傘を１巻き卷回させた後にバンドが緊締され、傘カバーが脱げる事態が防止されることを特徴とする、
傘カバー。
【請求項２】
前記カット線ユニットのこれら前記カット線は切れ目が入れられ、前記バンドの位置に合わせられ、前記バンドにより貫通されることを特徴とする、請求項１に記載の傘カバー。
【手続補正２】
【補正対象書類名】明細書
【補正対象項目名】全文
【補正方法】変更
【補正の内容】
【考案の詳細な説明】
【技術分野】
【０００１】
本考案は、傘カバーに関し、より詳しくは、傘のバンドにより傘カバーが傘に固定されて脱げなくなり、使用者が普段通りに楽に傘の手元を持てるようになる傘カバーに関する。
【背景技術】
【０００２】
従来の傘カバーは上方に透明な開口が設けられる長形状のプラスチックカバーであり（図１参照）、効果的に集水できる。
【考案の概要】
【考案が解決しようとする課題】
【０００３】
しかしながら、前述した従来の技術では、傘に緊結することができず、傘カバーが脱げて地面が濡れて汚れる現象がよく見られた。或いは、傘及び傘カバーを脱げないようにしっかりと握りしめるために、使用者が力を入れて傘の中棒を握るため、持ち歩くのが不便になり、手を痛め、更には、強く握り過ぎて傘カバーが傘の石突に破られて、雨水が漏れることもあった。
【０００４】
最近では、傘カバーに吊り孔が開設され、傘カバー内に蓄積された雨水の重量により、傘カバーが露先に吊り掛けられる設計となっている。ただし、傘カバーに集水された水の重量が不足したり、露先の深さが不十分である場合、傘カバーが脱げてしまうことがある。
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、傘カバーを提供することを主目的とする。
【課題を解決するための手段】
【０００６】
上述した課題を解決し、目的を達成するための本考案に係る傘カバーは、傘カバーに設置されるカット線ユニットからなり、前記カット線ユニットは若干のカット線を含み、縦方向に配列され、且つ異なる高さにそれぞれ位置され、傘のバンドが何れか１つのカット線を貫通させると共に傘を１巻き卷回させた後にバンドが緊締され、傘カバーが脱げる事態が防止されることを特徴とする。
【考案の効果】
【０００７】
本考案によれば、現在の透明なプラスチックの傘カバーが傘に堅固に緊結できないため、傘カバーが脱げて内部に溜まった水が流出し、地面が濡れて汚れてしまう問題を解決できる。
【図面の簡単な説明】
【０００８】
【図１】従来の傘カバーを示す図である。
【図２】本考案の一実施形態に係る傘カバーを示す概略図である。
【図３】傘を本考案の傘カバーに入れる概略図である。
【図４】バンドがカット線を通って傘の外側から露出した概略図である。
【図５】本考案の傘カバーが傘に結び付けられる概略図である。
【図６】本考案の他の実施形態に係る傘カバーを示す概略図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１０】
本考案に係る傘カバー２は、側方が加工されて、高さの位置が異なる長さ約３センチメートルの若干の垂直カット線２１、２２、２３、２４が切り入れられる（図２参照）。
傘カバーの開口部に最も近接されるカット線２１は第一位置と定義され、これは一般的に市販される男性用の傘の長さに適合される。第二位置のカット線２２は一般的に市販される女性用の傘の長さに適合され、第三位置のカット線２３の位置は一般的なコンビニエンスストアで販売される簡易な傘の長さに適合される。最下方の第四位置のカット線２４は一般的に市販される児童用の傘の長さに適合される。
【００１１】
雨天時には、傘３を傘カバー２に収納した後（図３参照）、最も近く、且つバンドの位置よりもやや高いカット線２１〜２４を選び、バンド３１を選択されたカット線から傘カバー２の外側まで貫通させ、且つバンド３１を傘カバー２の外まで完全に引っ張り出す（図４参照）。
次に、バンド３１を傘３に１巻き卷回させた後、面ファスナーにより粘着させるかボタンによりきつく留めることで、傘３の固定機能を達成させる（図５参照）。この際、傘カバー２はカット線ユニット２０及びバンド３１が緊締されて固定されることにより、脱げることがなくなる。
【００１２】
また、図６に示すカット線ユニット２０の他の具体的な実施例においては、これら前記カット線が相互に隣接され、且つ開口状ではなく、切れ目が入れられて、バンド３１がカット線ユニット２０を貫通させた後に傘３に結び付けられ、同様に傘カバー２の脱げ防止の目的を達成させる。
【００１３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。
従って、本考案の精神を逸脱せずに行う各種の同様の効果をもつ改良又は変更は、実用新案登録請求の範囲に含まれるものとする。
【符号の説明】
【００１４】
１  従来の透明傘カバー
２  傘カバー
２０  カット線ユニット
２１〜２４  カット線
３  傘
３１  バンド